(57)【要約】【課題】間欠的にドレンを供給するドレン回収装置を含んで構成した場合に、安定的に運転させられるクローズドタイプのボイラシステムを提供すること。【解決手段】ボイラ１０と、ドレン回収装置２０と、ドレン供給ラインＬ３と、新水供給ラインＬ５と、制御部１００とを備えるボイラシステム１であって、ドレン回収装置２０は、ドレン収容タンク２１と、加圧気体導入ライン２２と、ドレン収容タンク２１の水位が上昇した場合に加圧気体導入ライン２２を開放し水位が低下した場合に加圧気体導入ライン２２を閉止する加圧ライン開閉弁２３と、ドレン収容タンク２１の内部圧力を検出する圧力検出部２４とを備え、制御部１００は、内部圧力が第１閾値以上となった場合にドレン供給ラインＬ３からボイラ１０にドレンを供給させ、内部圧力が第２閾値以下となった場合に、新水供給ラインＬ５からボイラ１０に新水を供給させる。【選択図】図１
2015190703.tif 000002
【特許請求の範囲】
【請求項１】
蒸気を生成して負荷機器に供給するボイラと、
前記負荷機器が蒸気を使用することによって凝縮して生じたドレンを大気に開放することなく回収するドレン回収装置と、
前記ドレン回収装置と前記ボイラとを接続し前記ドレン回収装置に収容されたドレンを前記ボイラに供給するドレン供給ラインと、
前記ボイラに新水を供給する新水供給ラインと、
前記ドレン供給ライン又は前記新水供給ラインから前記ボイラへのドレン又は新水の供給を制御する制御部と、を備えるクローズドタイプのボイラシステムであって、
前記ドレン回収装置は、
ドレンを収容するドレン収容タンクと、
前記ドレン収容タンクに加圧気体を導入する加圧気体導入ラインと、
前記ドレン収容タンクに収容されたドレンの水位が上昇した場合に前記加圧気体導入ラインを開放し、該ドレン収容タンクに収容されたドレンの水位が低下した場合に前記加圧気体導入ラインを閉止する加圧ライン開閉弁と、
前記ドレン収容タンクの内部の圧力を検出する圧力検出部と、を備え、
前記制御部は、
前記圧力検出部により検出された圧力が第１閾値以上となった場合に前記ドレン供給ラインから前記ボイラにドレンを供給させ、
前記ドレン供給ラインから前記ボイラにドレンが供給された状態において前記圧力検出部により検出された圧力が前記第１閾値以下の第２閾値以下となった場合に、該ドレン供給ラインから前記ボイラへのドレンの供給を停止させて、前記新水供給ラインから前記ボイラに新水を供給させるボイラシステム。
【請求項２】
前記ドレン供給ラインに配置される流量測定部及び流量調整弁と、
前記新水供給ラインに配置される新水供給ポンプと、を更に備え、
前記制御部は、
前記ドレン供給ラインから前記ボイラにドレンを供給する場合、前記流量測定部より測定されるドレンの流量に基いて前記流量調整弁の開度を調整して前記ボイラに供給されるドレンの量を制御し、
前記新水供給ラインから前記ボイラに新水を供給する場合、前記新水供給ポンプの駆動量を調整して前記ボイラに供給される新水の量を制御する請求項１に記載のボイラシステム。
【請求項３】
前記ドレン回収装置は、
前記ドレン収容タンクと前記圧力検出部とを接続する圧力検出ラインと、
前記圧力検出ラインを開閉する検出ライン開閉弁と、を更に備え、
前記圧力検出部は、前記ドレン収容タンクの内部の圧力が前記第１閾値以上となった場合にＯＮとなり、前記ドレン収容タンクの内部の圧力が前記第２閾値以下となった場合にＯＦＦとなる圧力スイッチにより構成され、
前記制御部は、
前記圧力スイッチがＯＮからＯＦＦとなった場合に、予め設定された第１の時間前記検出ライン開閉弁を閉止させる請求項１又は２に記載のボイラシステム。
【請求項４】
前記ボイラに供給される水と前記ボイラから排出される燃焼ガスとの間で熱交換を行う給水加熱器を更に備える請求項１〜３のいずれかに記載のボイラシステム。
【発明の詳細な説明】
【技術分野】
【０００１】
本発明は、ボイラシステムに関する。より詳細には、負荷機器から排出されるドレンを、大気に開放することなく回収してボイラに給水するクローズドタイプのボイラシステムに関する。
【背景技術】
【０００２】
従来、ボイラによって生成された蒸気を負荷機器に供給し、負荷機器において熱源として使用された蒸気が凝縮して発生するドレンを、耐圧性を有する密閉型のドレンタンクを有するドレン回収装置に高温・高圧の状態で回収して、再度ボイラに給水するクローズドタイプのボイラシステムが提案されている（例えば、特許文献１参照）。
【先行技術文献】
【特許文献】
【０００３】
【特許文献１】特開２００６−１０５４４２号公報
【発明の概要】
【発明が解決しようとする課題】
【０００４】
ところで、従来、ドレンを収容するドレン収容タンクと、このドレン収容タンクに加圧気体を導入する加圧気体導入ラインと、ドレン収容タンクに収容されたドレンの水位が上昇した場合に加圧気体導入ラインを開放し、ドレン収容タンクに収容されたドレンの水位が低下した場合に加圧気体導入ラインを閉止する加圧ライン開閉弁と、を備えるドレン回収装置が提案されている。
【０００５】
以上のドレン回収装置では、ドレン収容タンクの水位が上昇すると、加圧気体導入ラインからドレン収容タンクの内部に加圧気体が導入される。すると、ドレン収容タンクの内部の圧力が上昇し、このドレン収容タンクの内部の圧力がドレンの供給先（例えば、ボイラ）の圧力よりも高くなると、ドレンが供給先に供給される。また、ドレン収容タンクの水位が低下すると、加圧気体導入ラインからの加圧気体の導入が停止される。すると、ドレン収容タンクの内部の圧力は低下していき、ドレン収容タンクの内部の圧力がドレンの供給先の圧力以下になると、ドレンの供給先への供給は停止される。
【０００６】
このようなドレン回収装置によれば、高温高圧のドレンをボイラに送り込むドレンポンプを用いることなくボイラシステムを構成できる。しかしながら、このドレン回収装置では、ドレンはボイラに間欠的に供給される。間欠的にドレンを供給するドレン回収装置を含んでボイラシステムを構成した場合には、ドレン回収装置からドレンが供給されない場合に他の水源からボイラに給水を行う必要があるため、安定的にボイラシステムを運転させるためには、ボイラへの給水の切り替えを適切に行う必要がある。
【０００７】
従って、本発明は、間欠的にドレンを供給するドレン回収装置を含んで構成した場合に、安定的に運転させられるクローズドタイプのボイラシステムを提供することを目的とする。
【課題を解決するための手段】
【０００８】
本発明は、蒸気を生成して負荷機器に供給するボイラと、前記負荷機器が蒸気を使用することによって凝縮して生じたドレンを大気に開放することなく回収するドレン回収装置と、前記ドレン回収装置と前記ボイラとを接続し前記ドレン回収装置に収容されたドレンを前記ボイラに供給するドレン供給ラインと、前記ボイラに新水を供給する新水供給ラインと、前記ドレン供給ライン又は前記新水供給ラインから前記ボイラへのドレン又は新水の供給を制御する制御部と、を備えるクローズドタイプのボイラシステムであって、前記ドレン回収装置は、ドレンを収容するドレン収容タンクと、前記ドレン収容タンクに加圧気体を導入する加圧気体導入ラインと、前記ドレン収容タンクに収容されたドレンの水位が上昇した場合に前記加圧気体導入ラインを開放し、該ドレン収容タンクに収容されたドレンの水位が低下した場合に前記加圧気体導入ラインを閉止する加圧ライン開閉弁と、前記ドレン収容タンクの内部の圧力を検出する圧力検出部と、を備え、前記制御部は、前記圧力検出部により検出された圧力が第１閾値以上となった場合に前記ドレン供給ラインから前記ボイラにドレンを供給させ、前記ドレン供給ラインから前記ボイラにドレンが供給された状態において前記圧力検出部により検出された圧力が前記第１閾値以下の第２閾値以下となった場合に、該ドレン供給ラインから前記ボイラへのドレンの供給を停止させて、前記新水供給ラインから前記ボイラに新水を供給させるボイラシステムに関する。
【０００９】
また、ボイラシステムは、前記ドレン供給ラインに配置される流量測定部及び流量調整弁と、前記新水供給ラインに配置される新水供給ポンプと、を更に備え、前記制御部は、前記ドレン供給ラインから前記ボイラにドレンを供給する場合、前記流量測定部より測定されるドレンの流量に基いて前記流量調整弁の開度を調整して前記ボイラに供給されるドレンの量を制御し、前記新水供給ラインから前記ボイラに新水を供給する場合、前記新水供給ポンプの駆動量を調整して前記ボイラに供給される新水の量を制御することが好ましい。
【００１０】
また、前記ドレン回収装置は、前記ドレン収容タンクと前記圧力検出部とを接続する圧力検出ラインと、前記圧力検出ラインを開閉する検出ライン開閉弁と、を更に備え、前記圧力検出部は、前記ドレン収容タンクの内部の圧力が前記第１閾値以上となった場合にＯＮとなり、前記ドレン収容タンクの内部の圧力が前記第２閾値以下となった場合にＯＦＦとなる圧力スイッチにより構成され、前記制御部は、前記圧力スイッチがＯＮからＯＦＦとなった場合に、予め設定された第１の時間前記検出ライン開閉弁を閉止させることが好ましい。
【００１１】
また、ボイラシステム１は、前記ボイラに供給される水と前記ボイラから排出される燃焼ガスとの間で熱交換を行う給水加熱器を更に備えることが好ましい。
【発明の効果】
【００１２】
本発明のボイラシステムによれば、間欠的にドレンを供給するドレン回収装置を含んでボイラシステムを構成した場合であっても安定的に運転させられる。
【図面の簡単な説明】
【００１３】
【図１】本発明の一実施形態に係るボイラシステムの構成を示す図である。
【図２】ボイラの缶体の鉛直方向断面図である。
【発明を実施するための形態】
【００１４】
以下、本発明のボイラシステムの好ましい一実施形態について、図面を参照しながら説明する。
まず、ボイラシステム１の構成について説明する。図１は、本発明の一実施形態に係るボイラシステム１の構成を示す図である。図２は、ボイラの缶体の鉛直方向断面図である。
【００１５】
図１に示すように、本実施形態のボイラシステム１は、ボイラ１０を含んで構成されるボイラ装置７０と、クローズドタイプのドレン回収装置２０と、オープンタンク３０と、ボイラシステム１の動作を制御する制御部１００と、を備える。
また、ボイラシステム１は、これらの機器を接続し、蒸気又は水が流通する複数のライン、これら複数のラインを開閉させる複数の弁、及び所定のラインに配置される複数のポンプを備える。具体的には、ボイラシステム１は、ラインとして、蒸気供給ラインＬ１と、ドレン回収ラインＬ２と、ドレン供給ラインＬ３と、オーバーフローラインＬ４と、新水供給ラインＬ５と、を備える。
【００１６】
ボイラ装置７０は、図１に示すように、ボイラ１０と、給水加熱器４０と、ボイラ１０で生成された蒸気が集められる蒸気ヘッダ７１と、ボイラ１０と蒸気ヘッダ７１とを連結する連結管７２と、を備える。
【００１７】
ボイラ１０は、内部に供給された給水を燃焼ガスにより加熱して蒸気を生成すると共に、生成された蒸気を後述する負荷機器５０に供給する。
本実施形態では、ボイラ１０（複数の水管）には、ドレン回収装置２０により回収されたドレンが給水として供給される。詳細には、ボイラ１０（複数の水管）には、後述するドレン収容タンク２１に貯留されたドレン、又はオープンタンク３０に貯留された新水が給水として供給される（以下、給水として供給されるドレン又は新水を、ドレン等ともいう）。
【００１８】
図２に示すように、ボイラ１０は、缶体１１と、複数の水管１２と、下部ヘッダ１４と、上部ヘッダ１５と、ダクト１６と、バーナ１７と、排気筒１８と、を備える。
【００１９】
缶体１１は、平面視矩形形状の直方体状に構成される。
複数の水管１２は、缶体１１の内部に上下方向に延びて配置されると共に、缶体１１の長手方向及び幅方向に所定の間隔をあけて配置される。
【００２０】
下部ヘッダ１４は、平面視矩形形状の直方体状の容器によって構成され、缶体１１の下部に配置される。下部ヘッダ１４には、複数の水管１２の下端部が接続される。下部ヘッダ１４には、ドレン等が供給され、この下部ヘッダ１４から複数の水管１２にドレン等が供給される。
【００２１】
上部ヘッダ１５は、平面視矩形形状の直方体状の容器によって構成され、缶体１１の上部に配置される。上部ヘッダ１５には、複数の水管１２の上端部が接続される。上部ヘッダ１５には、複数の水管１２において生成された蒸気が集められる。上部ヘッダ１５には、連結管７２（図１参照）が連結されており、上部ヘッダ１５に集められた蒸気は、この連結管７２を介して蒸気ヘッダ７１に供給される。
【００２２】
ダクト１６は、缶体１１の長手方向の一端側に位置する第１側面１１ａの下部に接続される。ダクト１６の上流側には、燃料ガスが供給される燃料供給部１６１及び燃焼用空気を供給する送風機（図示せず）が接続される。ダクト１６は、燃料供給部１６１から供給される燃料ガスと送風機から供給される燃焼用空気とを混合して缶体１１の内部に向けて供給する。
【００２３】
バーナ１７は、第１側面１１ａにおけるダクト１６と缶体１１との接続部分に配置される。バーナ１７は、燃焼用空気と燃料とが混合された混合ガスをダクト１６から缶体１１の内部に噴出し、この混合ガスを燃焼させる。
【００２４】
排気筒１８は、缶体１１の長手方向の他端側（ダクト１６が設けられた側と反対側）に位置する第２側面１１ｂに接続される。排気筒１８は、缶体１１の内部で混合ガスが燃焼して生じた燃焼ガスを排出する。
【００２５】
給水加熱器４０は、排気筒１８に設けられる。給水加熱器４０は、缶体１１から排出される燃焼ガスと、後述するドレン供給ラインＬ３又は新水供給ラインＬ５から缶体１１に供給されるドレン等との間で熱交換を行う。
【００２６】
図１に示すように、ボイラ１０で生成された蒸気は、連結管７２を通って蒸気ヘッダ７１に供給される。蒸気ヘッダ７１は、ボイラ１０で生成された蒸気を貯留し、負荷機器５０に供給する。
負荷機器５０は、ボイラ１０で生成された蒸気を熱源として利用し、加熱対象物との間で熱交換を行う。
【００２７】
ドレン回収装置２０は、ボイラ１０により生成された蒸気が負荷機器５０で利用されることで凝集して生じたドレンを高温高圧の状態で回収し、この回収したドレンを給水として再びボイラ１０に供給する。ドレン回収装置２０の詳細については、後述する。
オープンタンク３０は、大気に開放されている。このオープンタンク３０は、ボイラ１０に供給される新水を貯留する。また、オープンタンク３０には、後述のオーバーフローラインＬ４から排出されるドレンが供給される。
【００２８】
蒸気供給ラインＬ１は、蒸気ヘッダ７１と負荷機器５０とを接続し、ボイラ１０で生成された蒸気を負荷機器５０に供給する。
ドレン回収ラインＬ２は、負荷機器５０とドレン回収装置２０とを接続し、負荷機器５０で発生したドレンをドレン回収装置２０に供給する。このドレン回収ラインＬ２には、負荷機器５０において発生したドレンを排出し、かつ、蒸気の排出を防ぐスチームトラップ６１及び逆止弁６２が配置される。
【００２９】
ドレン供給ラインＬ３は、ドレン回収装置２０とボイラ１０とを接続し、ドレン回収装置２０に収容されたドレンをボイラ１０に供給する。ドレン供給ラインＬ３には、逆止弁３１，３２，３３、遮断弁３４、流量調整弁３５、及び流量測定部としての流量計３６が配置される。逆止弁３１は、ドレン供給ラインＬ３における上流側に配置され、ドレン供給ラインＬ３からドレン回収装置２０へのドレンの逆流を防ぐ。逆止弁３２，３３は、ドレン供給ラインＬ３における下流側に配置され、ボイラ１０からドレン供給ラインＬ３へのドレンの逆流を防ぐ。
【００３０】
遮断弁３４及び流量調整弁３５は、モータバルブにより構成される。遮断弁３４は、ボイラシステム１に異常が発生した場合等に動作し、ドレン供給ラインＬ３の流路を遮断する。流量調整弁３５は、開度を調整することで、ドレン供給ラインＬ３を流通するドレンの流量を調整する。
流量計３６は、ドレン供給ラインＬ３を流通するドレンの流量を測定する。
【００３１】
オーバーフローラインＬ４は、ドレン回収ラインＬ２とオープンタンク３０とを接続する。オーバーフローラインＬ４は、ドレン回収ラインＬ２を流通するドレンのうち、ドレン回収装置２０に収容されないドレンをオープンタンク３０側にオーバーフローさせる。オーバーフローラインＬ４には、逆止弁４１が配置されている。
【００３２】
新水供給ラインＬ５は、オープンタンク３０とドレン供給ラインＬ３とを接続し、オープンタンク３０に貯留された水を、ドレン供給ラインＬ３を介してボイラ１０に供給する。本実施形態では、新水供給ラインＬ５の下流側は、ドレン供給ラインＬ３における逆止弁３２と逆止弁３３との間に接続される。新水供給ラインＬ５には、新水供給ポンプ５１及び逆止弁５２が配置されている。新水供給ポンプ５１は、インペラ、このインペラを回転駆動させるモータ及びこのモータを駆動させるインバータ（いずれも図示せず）を含んで構成される。そして、この新水供給ポンプ５１は、インバータから供給された駆動電力の周波数に応じた回転速度で駆動される。逆止弁５２は、ドレン供給ラインＬ３から新水供給ラインＬ５へのドレンの逆流を防ぐ。
【００３３】
次に、ドレン回収装置２０について説明する。本実施形態では、ドレン回収装置２０は、ドレン収容タンクと、加圧気体導入ライン２２と、加圧ライン開閉弁２３と、圧力検出部としての圧力スイッチ２４と、圧力検出ライン２５と、検出ライン開閉弁２６と、を備える。
ドレン収容タンク２１は、ドレン回収ラインＬ２を流通するドレンを回収し収容する。
加圧気体導入ライン２２は、加圧気体供給源（図示せず）とドレン収容タンク２１とを接続し、ドレン収容タンク２１の内部に加圧気体を導入する。ドレン収容タンク２１に収容される加圧気体としては、空気又は蒸気が用いられる。
【００３４】
加圧ライン開閉弁２３は、ドレン収容タンク２１の内部に配置され、ドレン収容タンク２１の水位に応じて加圧気体導入ライン２２の流路を開閉する。具体的には、加圧ライン開閉弁２３は、ドレン収容タンク２１に収容されたドレンの水位が上昇した場合に加圧気体導入ラインを開放し、ドレン収容タンク２１に収容されたドレンの水位が低下した場合に加圧気体導入ラインを閉止する。加圧ライン開閉弁２３は、加圧気体導入ライン２２の先端側に配置される開閉弁と、フロートと、フロートと開閉弁とを連結する連結アームと、を含んで構成される（いずれも図示せず）。
【００３５】
圧力スイッチ２４は、ドレン収容タンク２１の内部の圧力を検出する。本実施形態では、圧力スイッチ２４は、ドレン収容タンク２１の内部の圧力が第１閾値（例えば、０．７ＭＰａ）以上となった場合にＯＮとなる。また、ドレン収容タンク２１の内部の圧力が第１閾値以下の値である第２閾値（例えば、０．６ＭＰａ）以下となった場合にＯＦＦとなるように設定される。第１閾値としては、燃焼時におけるボイラ１０の缶体１１の圧力よりも高い値が設定される。
【００３６】
圧力検出ライン２５は、ドレン収容タンク２１と圧力スイッチ２４とを接続する。即ち、本実施形態では、圧力スイッチ２４は、圧力検出ライン２５を介してドレン収容タンク２１の内部の圧力を検出する。
検出ライン開閉弁２６は、圧力検出ライン２５に配置され、圧力検出ライン２５の流路を開閉する。本実施形態では、検出ライン開閉弁２６は、電磁弁により構成される。
【００３７】
以上のドレン回収装置２０によれば、ドレン収容タンク２１の水位が上昇すると、加圧ライン開閉弁２３が開放され、加圧気体導入ライン２２からドレン収容タンク２１の内部に加圧気体が導入される。すると、ドレン収容タンク２１の内部の圧力が上昇し、このドレン収容タンク２１の内部の圧力がドレン供給ラインＬ３（ボイラ１０）の圧力よりも高くなると、ドレンがドレン供給ラインＬ３に導出され、ボイラ１０に供給される。また、ドレン収容タンク２１の水位が低下すると、加圧ライン開閉弁２３が閉止され、加圧気体導入ライン２２からの加圧気体の導入が停止される。すると、ドレン収容タンク２１の内部の圧力は低下していき、ドレン収容タンク２１の内部の圧力がボイラ１０の圧力以下になると、ボイラ１０へのドレンの供給は停止される。
また、以上の動作の中で、ドレン収容タンク２１の内部の圧力が第１閾値を上回った場合には、圧力スイッチ２４がＯＮとなり、第２閾値以下となった場合には、圧力スイッチ２４はＯＦＦとなる。
【００３８】
制御部１００は、ボイラシステム１の動作を制御する。制御部１００は、ボイラ１０からの給水要求に応じて、ドレン供給ラインＬ３又は新水供給ラインＬ５からボイラ１０にドレン又は新水を供給させる。本実施形態では、ボイラシステム１は、ボイラ１０からの給水要求がない場合であっても、所定の流量（最低流量）の給水を行う連続給水制御を行う。
【００３９】
本実施形態では、制御部１００は、圧力スイッチ２４の動作に基いて、ドレン回収装置２０からボイラ１０へのドレンの供給が可能か否かを判断し、いずれのラインから給水を行うかを決定する。
即ち、ドレン収容タンク２１の内部の圧力がボイラ１０の缶体１１の内部の圧力よりも高くなった場合には、ドレン収容タンク２１からボイラ１０へのドレンの供給が可能となる。そこで、制御部１００は、ドレン収容タンク２１の内部の圧力が第１閾値以上となることで圧力スイッチ２４がＯＮとなった場合に、ドレン供給ラインＬ３からボイラ１０にドレンを供給させる。
【００４０】
この場合、制御部１００は、流量計３６より測定されるドレンの流量に基いて流量調整弁３５の開度を調整してボイラ１０に供給されるドレンの量を制御する。また、制御部１００は、新水供給ポンプ５１を停止させて新水供給ラインＬ５からボイラ１０への新水の供給を停止させる。
【００４１】
また、ドレン収容タンク２１の内部の圧力がボイラ１０の缶体１１の内部の圧力以下になった場合には、ドレン収容タンク２１からボイラ１０にドレンの供給ができなくなる。そこで、制御部１００は、ドレン収容タンク２１の内部の圧力が第２閾値を下回り、圧力スイッチ２４がＯＦＦとなった場合、ドレン供給ラインＬ３からボイラ１０へのドレンの供給を停止させて、新水供給ラインＬ５からボイラ１０に新水を供給させる。
【００４２】
この場合、制御部１００は、インバータからモータに供給する駆動電力の周波数を制御して新水供給ポンプ５１の回転数を調整し、ボイラ１０に供給される新水の量を制御する。また、制御部１００は、遮断弁３４及び流量調整弁３５を全閉状態として、ドレン供給ラインＬ３からボイラ１０へのドレンの供給を停止させる。
【００４３】
また、本実施形態では、ドレン供給ラインＬ３からボイラ１０へのドレンの供給が頻繁にＯＮ−ＯＦＦされることに起因して、圧力スイッチ２４や流量調整弁３５の劣化が早まることを防ぐための構成として、制御部１００は、弁制御部１１０を備える。
【００４４】
弁制御部１１０は、圧力スイッチ２４がＯＮからＯＦＦとなった場合、予め設定された第１の時間（例えば、５分）検出ライン開閉弁２６を閉止させる。
これにより、頻繁にドレン回収装置２０からボイラ１０へのドレンの供給の開始及び停止が繰り返されることを防げる。
【００４５】
以上説明した本実施形態のボイラシステム１によれば、以下のような効果を奏する。
【００４６】
（１）ドレン回収装置２０を、ドレン収容タンク２１と、このドレン収容タンク２１に加圧気体を導入する加圧気体導入ライン２２と、ドレン収容タンク２１の水位が上昇した場合に加圧気体導入ライン２２を開放し、ドレン収容タンク２１の水位が低下した場合に加圧気体導入ライン２２を閉止する加圧ライン開閉弁２３と、ドレン収容タンク２１の内部の圧力を検出する圧力スイッチ２４と、を含んで構成し、制御部１００に、圧力スイッチ２４により検出された圧力が第１閾値以上となった場合にドレン供給ラインＬ３からボイラ１０にドレンを供給させ、ドレン供給ラインＬ３からボイラ１０にドレンが供給されている状態において圧力スイッチ２４により検出された圧力が第２閾値以下となった場合に、ドレン供給ラインＬ３からボイラ１０へのドレンの供給を停止させて、新水供給ラインＬ５からボイラ１０に新水を供給させた。これにより、間欠的にドレンをボイラ１０に供給するドレン回収装置２０を含んでクローズドタイプのボイラシステム１を構成した場合において、圧力スイッチ２４により検出された圧力に基づいて、ドレン回収装置２０からボイラ１０へのドレンの供給の可否を判定できる。よって、ドレン回収装置２０からのドレンの供給が可能な場合には、ドレン回収装置２０からボイラ１０にドレンを供給でき、その他の場合には、新水供給ラインＬ５からボイラ１０に新水を供給できるので、間欠的にドレンをボイラ１０に供給するドレン回収装置２０を含んで構成したボイラシステム１を安定的に運転させられる。
【００４７】
（２）ボイラシステム１を、ドレン供給ラインＬ３に配置される流量計３６及び流量調整弁３５と、新水供給ラインＬ５に配置される新水供給ポンプ５１と、を含んで構成し、制御部１００に、ドレン供給ラインＬ３からボイラ１０にドレンを供給する場合、流量計３６より測定されるドレンの流量に基いて流量調整弁３５の開度を調整してボイラ１０に供給されるドレンの量を制御させ、新水供給ラインＬ５からボイラ１０に新水を供給する場合、新水供給ポンプの回転数を調整してボイラ１０に供給される新水の量を制御させた。これにより、高温高圧のドレンをボイラ１０に供給する場合には、ポンプを用いることなくドレンの供給量を調整でき、常圧の新水を供給する場合には、新水供給ポンプ５１の回転数により新水の供給量を調整できる。よって、ボイラシステム１をより効率的に運転させられる。
【００４８】
（３）ドレン回収装置２０を、ドレン収容タンク２１と圧力スイッチ２４とを接続する圧力検出ライン２５と、この圧力検出ライン２５を開閉する検出ライン開閉弁２６と、を含んで構成し、制御部１００を、圧力スイッチ２４がＯＮからＯＦＦとなった場合に、第１の時間検出ライン開閉弁２６を閉止させる弁制御部１１０を含んで構成した。これにより、一度ドレン回収装置２０からボイラ１０へのドレンの供給が行われた場合に、第１の時間圧力検出ライン２５を閉止することで、この第１の時間ドレン回収装置２０からボイラ１０へのドレンの供給を停止させられる。よって、圧力スイッチ２４や流量調整弁３５の過度な動作を防げるので、これら部材の長寿命化を図れる。
【００４９】
（４）ボイラ装置７０を、缶体１１と、給水加熱器４０と、を含んで構成した。これにより、ボイラシステム１の効率をより向上させられる。
【００５０】
以上、本発明のボイラシステム１の好ましい一実施形態について説明したが、本発明は、上述の実施形態に制限されるものではなく、適宜変更が可能である。
例えば、本実施形態では、圧力検出部を圧力スイッチ２４により構成したが、これに限らない。即ち、圧力検出部を圧力センサにより構成してもよい。
【００５１】
また、本実施形態では、本発明を、連続給水制御を行うボイラシステム１に適用したが、これに限らない。即ち、本発明を、ボイラからの給水要求がない場合には給水を行わない間欠給水制御のボイラシステムに適用してもよい。
【符号の説明】
【００５２】
１  ボイラシステム
１０  ボイラ
１１  缶体
２０  ドレン回収装置
２１  ドレン収容タンク
２２  加圧気体導入ライン
２３  加圧ライン開閉弁
２４  圧力スイッチ（圧力検出部）
２５  圧力検出ライン
２６  検出ライン開閉弁
３５  流量調整弁
３６  流量計（流量測定部）
４０  給水加熱器
５０  負荷機器
１００  制御部
Ｌ３  ドレン供給ライン
Ｌ５  新水供給ライン
【図１】
2015190703.tif 000003
【図２】
2015190703.tif 000004